【事件の表示】
　特願２００５−１６００８９「階層構造メニューの表示方法、階層構造メニューの表示装置および階層構造メニュー表示プログラム」拒絶査定不服審判事件〔平成１８年１２月１４日出願公開、特開２００６−３３８１７８〕について、次のとおり審決する。
【結　論】
　本件審判の請求は、成り立たない。
【理　由】
第１　手続きの経緯・本願発明
　本願は、平成１７年５月３１日の出願であり、平成２２年９月１７日付けで拒絶査定がなされ、それに対して同年１２月２０日に拒絶査定不服の審判請求がなされたものであって、その請求項１に係る発明は、平成２２年７月９日付けの手続補正書により補正された明細書及び図面の記載からみて、その特許請求の範囲の請求項１に記載された次のとおりのものと認める。（以下、「本願発明」という。）
「階層構造の各階層のメニュー表示において複数個の選択項目の中の一つが、ユーザによる選択入力操作に応じて選択決定されたときに、表示画面の表示が、最下位の階層を除き、上位の階層のメニュー表示から下位の階層のメニュー表示に変更される階層構造メニューの表示方法において、
　前記上位の階層のメニュー表示から前記下位の階層のメニュー表示に変更するときは、前記上位の階層のメニュー表示で選択決定された前記選択項目のみが表示されるように他の選択項目の表示を消去した後、前記選択項目を前記下位の階層のメニュー表示におけるタイトルの表示位置に移動させるアニメーションを実行し、その後、前記下位の階層のメニュー表示を前記タイトルの表示を伴って表示し、
前記下位の階層のメニュー表示から前記上位の階層のメニュー表示に変更するときは、前記下位の階層のメニューで表示されていた前記タイトルを、該タイトルのみが表示されるように他の表示項目を消去した後、前記上位の階層のメニューにおける前記選択項目の位置に移動させるアニメーションを実行する階層構造メニューの表示方法。」
　　　
第２　引用例
　原査定の拒絶の理由に引用された特開平６−２６６９２９号公報（以下、「引用例」という。）には、図面とともに次の記載がある。
（ア）「【０００２】
【従来の技術】従来実用化されている現金自動取引装置（以下、ＡＴＭと記す）などにおいては操作ガイダンスの表示装置としてＣＲＴディスプレイが用いられることが多く、操作者はディスプレイに順次表示される操作ガイダンスに従って、取引に必要な入力操作を進めるようになっている。例えば、操作者が振込取引をＡＴＭを用いて行う場合、操作者は取引選択画面から、例えば、「振り込み」キーを押下することにより振込取引を選択する。ＡＴＭは「振り込み」キーを押下されたことを検知すると、振込取引に必要な一連の操作、入力を促すガイダンスを表示する。
【０００３】
【発明が解決しようとする課題】この時、画面上の振込取引を選択した状態から次のガイダンスを表示した状態への表示内容の変化は、画面の切り替わりとともに一瞬のうちに行われるので、操作者のうち、特に初心者にとっては、操作ガイダンスの連続性が途切れたような感覚になり、変化後のガイダンスが本当に自分の行なおうとしている取引のガイダンスなのかどうかわからなくなるという問題があった。本発明の目的は、上記問題点を解決し、操作ガイダンスを操作ガイダンスの連続性を保持したものとし、より使い勝手の向上した自動取引装置を提供することにある。」（段落【０００２】、【０００３】）
　　　　　　　　　　
（イ）「【０００４】
【課題を解決するための手段】表示手段に表示された取引選択ガイダンスにおいて取引が選択された後、表示されている該選択された取引名称の表示を連続的に移動して所定位置に表示し、後続する入力手順ガイダンスの標題の表示として用いるようにしている。
【０００５】
【作用】上記手段により、取引選択画面から、後続する当該取引操作ガイダンスへの切り替わりにおいて、操作者が選択した取引名称の表示が画面上を連続的に移動し、画面上の所定位置に後続する入力手順ガイダンスの標題として残されたままになるので、ガイダンスの連続性を失うこと無く、操作者は安心して取引操作を進めることができる。」（段落【０００４】、【０００５】）
　　　　
（ウ）「図３は、振込取引時におけるＡＴＭの処理フロー例を、必要項目の入力手順を中心に表したものである。次に、本発明に基づいた振込取引手順を図３のフローチャートに沿って説明する。なお、以下の説明において、操作者の入力操作はタッチパネル２０４により、また、ＡＴＭからの操作指示、表示等は、ＣＲＴディスプレイ２０３を通して、それぞれ行なわれるものとする。
【０００７】図３において、取引開始にあたり、ＡＴＭは３０１において図４に示すような取引選択画面を表示する。図４では、このＡＴＭを用いて行なうことができる取引科目（４０１〜４０６）が一覧表示されているとともに、これらは各取引科目を選択する際に用いるキー（４１１〜４１６：タッチパネル２０４上に定義された領域）と対になっている。さらに、利用者に対してこれら取引の中から行なうべき取引を選択する旨のガイダンス文が表示されており、この利用者向けガイダンス文が操作者の目を引くように、立方体が回転している様子を示すアイキャッチャー４０７が、ガイダンス文付近に表示されている。取引選択は、タッチパネル２０４のＣＲＴディスプレイ２０３上の選択する取引科目を示すタッチパネル２０４のキー表示部分に触れることにより行なわれる。ここで操作者が振込取引を選択すると（３０２）、ＡＴＭは図５に示すように、選択した取引科目名称を残して、他のキー及び、ガイダンス文等を画面上から消去する。これにより、利用者が選択した取引を明示する。続いて、その取引科目名称を画面左上に移動させ、そのまま後続する入力作業のタイトルとするが、その際、瞬時に移動するのではなく、図６に示すように、操作者の目で動きが追随できる程度の速度で連続的に移動させる。
【０００８】続いてＡＴＭは図１に示すようにタイトル１０１の下、画面の左端に、振込取引に必要な一連の入力処理手順をフローチャート形式に表示する（３０３）。これにより、操作者に対して入力処理手順全体を明示することができ、さらに現在処理中あるいは処理済の入力手順部分の表示の色を変える等して、現在の入力作業進行段階を容易に知らせることができる。また、タイトル１０１、処理手順（１０２〜１０８）、及び取引中断キー１０９を画面左端にまとめて表示することにより、これらの表示を残したまま、画面の残りの部分１１０で各入力項目の入力操作を行なわせることができ、かつ、いつでも取引を中断する手段を残している。操作者は、あらかじめ定められ表示された一連の入力処理手順に従って入力作業を行なえばよいのであるが、フローチャートを構成する操作者が行なう各処理手順を示すブロック（１０２〜１０５）は、それ自体がファンクションキーとなっており、操作者は上記のあらかじめ定められた処理手順に拘束されることなく、希望するブロックに触れることにより、任意の手順で入力作業あるいは既入力項目の訂正を行なうことができる。図１に示す画面右側の余白部分１１０には、フローチャートの各ブロックに対応した入力処理ガイダンスが順次表示され、入力処理が進行する。
【０００９】次にＡＴＭは３１０で依頼人氏名を入力済か否かを判断し、未入力の場合は３１１で依頼人氏名入力ガイダンスの初期画面を表示する。すなわち、図７に示すようにカードの挿入を求めるガイダンスを示す。ここでは、依頼人氏名入力操作の一部であることを示すために、フローチャートの対応するブロック１０２の表示を他のブロックと異ならせている。依頼人氏名入力が終了するまでは、各ブロックの表示状態はこのままに保たれる。また、ガイダンス文言付近にはアイキャッチャー４０７が表示されている。ここで、利用者がカードを挿入すれば、カード上に記録されている磁気情報から依頼人氏名を入力することができるが、利用者が「キー入力」を選択した場合は、図８以下に示すような手順で依頼人氏名を入力する（３１２）。図８では、画面上に入力表示窓８０２を持つ五十音キーボードのイメージ８０１が表示されており、キーボードを操作する要領で画面に触れると、タッチパネル２０４の作用により、入力表示窓に依頼人氏名入力結果が表示される。利用者は氏名入力の最後に「確認」キーを押すことにより、氏名入力を終えることができる。通常、タッチパネル入力においては、実際のキーボードと違って触覚による入力感覚がはっきりしないため、入力が受け付けられたことを示すために選択されたキーの表示色を変えたり、フィードバック音を返したりする場合が多い。本実施例においても音によるフィードバックがあることを想定しているが、「確認」「取引中断」といった特殊なキーに対しては、五十音キーあるいはテンキーとは違ったフィードバック音が返されるようにしてある。」（段落【０００６】〜【０００９】）
　　　　
（エ）「【００１２】次に、入力項目をランダムに選ぶ場合について説明する。例えば上述の実施例で振込依頼人氏名入力を終えると、ＡＴＭは自動的に図１２に示す振込先入力ガイダンス初期画面を表示する（３２１）が、ここで続いて振込先入力を行なうのではなく振込金額入力を行なう場合は、画面左端のフローチャートの「金額入力」ブロック１０５を押すことにより行なうことができる。この時ＡＴＭは処理手順を３４１に移して図１４のように振込金額入力ガイダンス初期画面を表示し、操作者はガイダンスに従って振込金額を入力する。金額入力が終了するとテンキーが消え、かわりに縮小表示されていた依頼人氏名及び電話番号が記入された状態の振込依頼票が元の大きさに拡大表示される。そして振込金額が所定の位置に配置され、依頼人氏名、電話番号及び振込金額が記入された状態となった依頼票は再び連続的に縮小され、タイトルの横に小さく表示される。続いてＡＴＭは３４３で「金額入力」ブロックを入力済状態にした後、３０４、３１０、３２０の各判断を行い、３２１で図１２が再度表示される。但し、縮小表示されている振込依頼票の既入力項目は図１２に示すものとは異なっており、また各処理手順を示すブロック（１０２〜１０５）の表示状態も、これまでの入力履歴を反映したものとなっている。同様にして、図１３において訂正を要する項目がある場合は、フローチャート中の対応するブロック（１０２〜１０５）に触れることにより該当項目の入力処理をやりなおすことができる。」（段落【００１２】）
　　　　
　以上の記載によれば、この引用例には以下のような発明（以下、「引用発明」という。）が開示されていると認められる。
「取引開始にあたり、ＡＴＭは、このＡＴＭを用いて行なうことができる取引科目（４０１〜４０６）を一覧表示するとともに、各取引科目を選択する際に用いるキー（４１１〜４１６：タッチパネル２０４上に定義された領域）が対になっている取引選択画面を表示し、
　取引選択は、タッチパネル２０４のＣＲＴディスプレイ２０３上の選択する取引科目を示すタッチパネル２０４のキー表示部分に触れることにより行なわれ、操作者が振込取引を選択すると、ＡＴＭは、選択した取引科目名称を残して、他のキー及び、ガイダンス文等を画面上から消去し、
　続いて、その取引科目名称を画面左上に操作者の目で動きが追随できる程度の速度で連続的に移動させ、そのまま後続する入力作業のタイトル１０１とし、
　続いて、タイトル１０１の下、画面の左端に、振込取引に必要な一連の入力処理手順（１０２〜１０８）をフローチャート形式に表示し、
　各処理手順を示すブロック（１０２〜１０５）は、それ自体がファンクションキーとなっており、操作者は上記のあらかじめ定められた処理手順に拘束されることなく、希望するブロックに触れることにより、任意の手順で入力作業あるいは既入力項目の訂正を行なうことができ、依頼人氏名入力操作のブロック１０２に触れることにより、依頼人氏名入力操作ガイダンスの初期画面すなわち、利用者にカードの挿入を求めるガイダンス及びキー入力を選択させるキー（タッチパネル２０４上に定義された領域）を表示するＡＴＭの取引処理方法。」
　　
第３　対　比
　本願発明と引用発明とを対比する。
（１）引用発明の「取引科目（４０１〜４０６）を一覧表示するとともに、各取引科目を選択する際に用いるキー（４１１〜４１６：タッチパネル２０４上に定義された領域）が対になっている取引選択画面を表示」は、本願発明の「上位の階層のメニュー表示」に相当する。
（２）引用発明の「振込取引に必要な一連の入力処理手順（１０２〜１０８）をフローチャート形式に表示」している内の「各処理手順を示すブロック（１０２〜１０５）」の表示は、本願発明の「下位の階層のメニュー表示」に相当する。
（３）引用発明は、「取引選択は、タッチパネル２０４のＣＲＴディスプレイ２０３上の選択する取引科目を示すタッチパネル２０４のキー表示部分に触れることにより行なわれ、」「振込取引に必要な一連の入力処理手順（１０２〜１０８）をフローチャート形式に表示し、各処理手順を示すブロック（１０２〜１０５）は、それ自体がファンクションキーとなって」いるから、引用発明の「ＡＴＭの取引処理方法」は、本願発明の「階層構造の各階層のメニュー表示において複数個の選択項目の中の一つが、ユーザによる選択入力操作に応じて選択決定されたときに、表示画面の表示が、最下位の階層を除き、上位の階層のメニュー表示から下位の階層のメニュー表示に変更される階層構造メニューの表示方法」に相当するといえる。
（４）引用発明の「操作者が振込取引を選択すると、ＡＴＭは、選択した取引科目名称を残して、他のキー及び、ガイダンス文等を画面上から消去し」は、本願発明の「前記上位の階層のメニュー表示から前記下位の階層のメニュー表示に変更するときは、前記上位の階層のメニュー表示で選択決定された前記選択項目のみが表示されるように他の選択項目の表示を消去し」に相当し、引用発明の「続いて、その取引科目名称を画面左上に操作者の目で動きが追随できる程度の速度で連続的に移動させ、そのまま後続する入力作業のタイトル１０１とし」は、本願発明の「前記選択項目のみが表示されるように他の選択項目の表示を消去した後、前記選択項目を前記下位の階層のメニュー表示におけるタイトルの表示位置に移動させるアニメーションを実行し」に相当するといえる。
（５）引用発明の「続いて、タイトル１０１の下、画面の左端に、振込取引に必要な一連の入力処理手順（１０２〜１０８）をフローチャート形式に表示し、各処理手順を示すブロック（１０２〜１０５）は、それ自体がファンクションキーとなっており」は、本願発明の「その後、前記下位の階層のメニュー表示を前記タイトルの表示を伴って表示し」に相当するといえる。
　　
　したがって、本願発明の用語を用いて表現すると両者は、
「階層構造の各階層のメニュー表示において複数個の選択項目の中の一つが、ユーザによる選択入力操作に応じて選択決定されたときに、表示画面の表示が、最下位の階層を除き、上位の階層のメニュー表示から下位の階層のメニュー表示に変更される階層構造メニューの表示方法において、
　前記上位の階層のメニュー表示から前記下位の階層のメニュー表示に変更するときは、前記上位の階層のメニュー表示で選択決定された前記選択項目のみが表示されるように他の選択項目の表示を消去した後、前記選択項目を前記下位の階層のメニュー表示におけるタイトルの表示位置に移動させるアニメーションを実行し、その後、前記下位の階層のメニュー表示を前記タイトルの表示を伴って表示する階層構造メニューの表示方法。」
で一致するものであり、次の点で相違している。
　　
（相違点）
　本願発明は、「前記下位の階層のメニュー表示から前記上位の階層のメニュー表示に変更するときは、前記下位の階層のメニューで表示されていた前記タイトルを、該タイトルのみが表示されるように他の表示項目を消去した後、前記上位の階層のメニューにおける前記選択項目の位置に移動させるアニメーションを実行する」のに対して、引用発明にはこのような構成は記載されていない点。
　　
第４　当審の判断
　上記相違点について検討する。
　下位の階層メニュー表示から上位の階層のメニュー表示に戻るとき、上位の階層メニュー表示から下位の階層のメニュー表示に変更する際に実行されるアニメーション表示の逆方向となるアニメーション表示を行うことは、本願出願前周知の技術（例えば、１．特開２００３−１２５３６６号公報段落【０４２０】【０４２１】「このとき付与するアニメーション効果の例としては、例えば、機能選択ボタンの表示サイズ、表示位置、或いは表示角度などを経過時間に応じて変化させること、機能選択ボタンとして表示する画像の内容を経過時間に応じて変化させることなど挙げることができる。・・・中略・・・コミュニケーションプログラムにおいては、このように階層型メニューの階層を移動する際に、機能選択ボタンに所定のアニメーション効果を付与することによって、移行元の階層と移動先の階層とを所定の時間の間、ユーザに対して明示的に表示することができ、階層の把握を容易とすることができる。」、段落【０４２７】「なお、ユーザが前の階層のいずれの機能選択ボタンを選択したのかを記憶しておくことにより、例えば、「戻る」ボタンにより階層を逆に辿ってゆくことができる。このとき、例えば、上述したアニメーション効果を逆に再生する場合に相当するアニメーション効果を機能選択ボタンに付与するとしてもよい。」の記載、２．特開２００５−１８７９６号公報段落【００５８】【００５９】「下位階層を有している場合、ステップＳ８において、その階層に進む。いまの場合、ＮＡＴＵＲＥが下位階層を有しているので、ステップＳ８において、その階層に進み、ステップＳ２に戻り、その階層のメニューアイテムを表示する。下位階層に進むときは、図１４および図１５に示すように、選択されたメニューアイテムに接近していき、図１６に示すように、ドアが開いてズームインしていく画像が表示される。」、段落【００６３】「後進ボタン（左ボタン）２３が押されたと判定された場合、ステップ１０に進み、現時点の階層に対して上位の階層が存在するか否かを判断し、上位階層が存在する場合、ステップ１１において、その階層に戻る。上位階層に戻る場合、画像がズームアウトしていき、ドアが閉まる画像が表示された後、ステップ２に戻り、その階層でのメニューアイテムを表示する。」の記載、３．特開２００３−２１９０１１号公報段落【００３０】〜【００３４】「右方向カーソルキーが押下されたことを検出すると（ステップＳ２：Ｙ）、ＣＰＵ１４は、一旦、基本メニュー画面２２１を消してから、ＲＯＭ１６から右方向アニメーション画面データとして、例えば、図４に示すアニメーション画面データ２２２→２２３→２２４→２２５を１８０ｍｓ毎に順次読み出して、表示部２２に順次表示して、メニューアイコンを模した複数の大きさの円形図形が右方向に回転して見えるように表示している（ステップＳ３）。このメニューアイコンを回転させたアニメーション画面表示が終了すると、ＣＰＵ１４は、基本メニュー画面２２１において電話機能メニューアイコンより右方向に位置する録音機能メニューアイコンに遷移した基本メニュー画面を表示するため、アニメーション画面２２５を消してから、ＲＯＭ１６から録音機能選択画面データを読み出して、例えば、図４に示す録音機能選択画面２２６を表示する（ステップＳ４）。この録音機能選択画面２２６では、バーメニューのメニューアイコンは、電話機能から右に遷移して録音機能のメニューアイコンが選択された状態で再表示される。この録音機能選択画面２２６では、画面中央に現在選択されている録音機能（図中中央の大型の円形アイコン）であることを示すととともに、その周囲には、左右方向カーソルキー操作により選択可能な２つの機能として、電話機能（図中の各小型の円形アイコン）及びカメラ機能（図中の各中型の円形アイコン）が、交互に３つずつ配置されていることを示している。これらのアイコン配置は、選択中の録音機能の次に選択可能な機能が中型の円形アイコンのカメラ機能、その次の次に選択可能な機能が小型の円形アイコンの電話機能であることを示している。更に、録音機能選択画面２２６の下辺部には、選択可能な全機能を示すため、バー状に全メニュー項目を示す４つのメニューアイコンが表示されており、左端より２番目に位置する録音機能のメニューアイコンが選択状態（押下された状態）として表示されている。また、録音機能選択画面２２６において、左方向カーソルキーが押下されたことを検出すると（ステップＳ５：Ｙ）、ＣＰＵ１４は、ＲＯＭ１６から左方向アニメーション画面データとして、上記右方向アニメーションとは逆順に、図４に示すアニメーション画面データ２２５→２２４→２２３→２２２を１８０ｍｓ毎に順次読み出して、表示部２２に順次表示して、メニュー項目を模した複数の円形図形が左方向に回転して見えるように表示している（ステップＳ６）。このアニメーション画面表示の終了後、ＣＰＵ１４は、基本メニュー画面２２１において録音機能メニューアイコンより左方向に位置する電話機能メニューアイコンを表示するため、ＲＯＭ１６から基本メニュー画面データを読み出して、例えば、図４に示す基本メニュー画面２２１を表示する（ステップＳ７）。」の記載参照。）である。
　引用例には、「振込取引に必要な一連の入力処理手順（１０２〜１０８）をフローチャート形式に表示」している表示画面（「下位の階層のメニュー表示」に相当する。）から、「取引科目（４０１〜４０６）を一覧表示するとともに、各取引科目を選択する際に用いるキー（４１１〜４１６：タッチパネル２０４上に定義された領域）が対になっている取引選択画面」（「上位の階層のメニュー表示」に相当する。）に戻すことは記載されていないが、一般にＡＴＭの取引処理メニューの表示において、ユーザが選択操作のやり直しを可能にするために「戻る」キーや「キャンセル」キー等を操作して下位の階層のメニュー表示から上位の階層のメニュー表示に戻るようにすることは、通常なされていることである。
　そして、引用発明の目的は、取引ガイダンスの表示内容の変化は、画面の切り替わりとともに一瞬のうちに行われるので、操作者のうち、特に初心者にとっては、操作ガイダンスの連続性が途切れたような感覚になり、変化後のガイダンスが本当に自分の行なおうとしている取引のガイダンスなのかどうかわからなくなるという問題点を解決し、操作ガイダンスを操作ガイダンスの連続性を保持したものとし、より使い勝手を向上することにあるから、下位の階層のメニュー表示から上位の階層のメニュー表示に変更する際にも操作ガイダンス表示の連続性を保持するようにすることは、当業者が容易に想到し得ることであり、引用発明において、上記周知技術を適用することに何ら困難性は認められない。
　引用発明において、上記周知技術を適用すれば、「前記下位の階層のメニュー表示から前記上位の階層のメニュー表示に変更するときは、前記下位の階層のメニューで表示されていた前記タイトルを、該タイトルのみが表示されるように他の表示項目を消去した後、前記上位の階層のメニューにおける前記選択項目の位置に移動させるアニメーションを実行する」ものになることは明らかである。
　　　　
　また、本願発明の作用効果も、引用発明及び周知技術から、当業者であれば予想できる範囲内のものである。　　　
　　　
第５　むすび
　以上のとおり、本願発明は、引用発明及び周知技術に基づいて当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。